(57)【要約】【課題】  電子機器の機種に依存する独自形式のデータに対応した変換プログラムを自動的に取得する変換処理システムを提供する。【解決手段】  ＰＣは、ＲＡＷ画像データに付加されている識別情報に対応したプラグインがＰＣ内に存在するか否かを判定し、識別情報に対応したプラグインが存在しない場合には、ＲＡＷ画像データに付加されているアドレス情報に基づいて特定したプラグイン提供用サーバから識別情報に対応したプラグインを取得する。ＰＣは、プラグイン提供用サーバから取得したプラグインを画像処理プログラムにインストールし、このプラグインによってＲＡＷ画像データの現像処理を実施する。この現像処理によって独自形式のＲＡＷ画像データは、標準形式のＪＰＥＧ画像データに変換される。【選択図】        図４
2006253957.tif 000002
【特許請求の範囲】
【請求項１】
電子機器の機種に依存する独自形式のデータを標準形式のデータに変換する変換プログラムを格納したサーバと、
このサーバと通信ネットワークを介して接続され、前記変換プログラムに基づいて前記独自形式のデータを標準形式のデータに変換する変換処理装置とを備え、
前記独自形式のデータには、対応する変換プログラムの識別情報と、対応する変換プログラムを格納したサーバのアドレス情報とが付加されており、
前記変換処理装置は、前記識別情報に対応する変換プログラムが該装置内に存在するか否かを判定し、存在しなければ、前記アドレス情報に基づいて特定したサーバから前記識別情報に対応する変換プログラムを取得することを特徴とする変換処理システム。
【請求項２】
前記変換処理装置は、前記識別情報に対応する変換プログラムが該装置内に存在する場合には、前記アドレス情報に基づいて特定したサーバからこの変換プログラムのバージョン情報を取得し、該装置内の変換プログラムが最新版でなければ、前記サーバから最新版の変換プログラムを取得することを特徴とする請求項１記載の変換処理システム。
【請求項３】
前記変換処理装置は、前記識別情報に対応する変換プログラムが該装置内に存在する場合には、前記アドレス情報に基づいて特定したサーバからこの変換プログラムのバージョン情報を取得し、該装置内の変換プログラムが最新版でなければ、その旨をユーザに報知し、ユーザの指示に基づいて、前記サーバから最新版の変換プログラムを取得することを特徴とする請求項１記載の変換処理システム。
【請求項４】
前記変換処理装置は、コンピュータと、これに所定の動作を実行させるアプリケーションプログラムとからなり、前記変換プログラムは、前記アプリケーションプログラムに組み込まれるプラグインであることを特徴とする請求項１ないし３いずれか記載の変換処理システム。
【請求項５】
前記独自形式のデータは、固体撮像素子によって撮像されたアナログ信号をデジタル化した直後のＲＡＷ形式の画像データであることを特徴とする請求項１ないし４いずれか記載の変換処理システム。
【発明の詳細な説明】
【技術分野】
【０００１】
本発明は、電子機器の機種に依存する独自形式のデータを、標準形式のデータに変換する変換処理システムに関する。
【背景技術】
【０００２】
撮影画像をデジタルデータとして記録するデジタルカメラが普及している。デジタルカメラは、被写体光をＣＭＯＳ型やＣＣＤ型などの固体撮像素子によって撮像（被写体光を光電変換）し、撮影画像をメモリカードに記録するものである。通常のデジタルカメラは、固体撮像素子が出力したアナログ撮像信号をＡ／Ｄコンバータによってデジタルデータに変換し、デジタル信号処理回路（ＤＰＳ）によって所定の現像処理（ガンマ補正、ホワイトバランス補正、ブライトネス補正など）を行った後、圧縮処理（ＪＰＥＧ形式やＴＩＦＦ形式）を行い、メモリカードに記録する記録方式が一般的である。ただし、この記録方式では、現像処理の各種条件はＤＰＳに依存するため、デジタルカメラの機種ごとに画像の出来上がりが異なる。すなわち、デジタルカメラの機種を選択した時点で、出来上がる画像の方向性が決まることになる。
【０００３】
そこで、プロユーザなどを対象にした一眼レフタイプのハイエンド・デジタルカメラなどは、現像処理をユーザの手に委ねるために、Ａ／Ｄコンバータから出力された直後のＲＡＷ形式の画像データ（以下、ＲＡＷ画像データという）を、ＤＰＳを通さずそのままメモリカードに記録する記録方式を備えている。ＲＡＷ画像データは、情報のロスが伴わず高品質であるため、商業写真などの高度な要求に対応する。
【０００４】
しかしながら、ＲＡＷ画像データのデータ形式は、固体撮像素子の構成（水平画素数、垂直画素数、色フィルタ配列など）に依存するため、デジタルカメラの機種ごとに異なる。すなわち、ＲＡＷ画像データは、デジタルカメラの機種ごとの独自形式のデータであり、これをパーソナルコンピュータ（ＰＣ）などで現像処理するには、デジタルカメラの機種ごとにメーカから提供された専用の現像プログラム（ソフトウェア）を用いる必要がある。この現像プログラムによって、独自形式のＲＡＷ画像データを、標準形式の画像データ（ＪＰＥＧ形式やＴＩＦＦ形式）に変換することができる。
【０００５】
この現像プログラムには、プラグイン（組み込みソフトウェア）として、画像処理プログラム（例えば、Adobe Systems社製のPhotoshop（登録商標）などのアプリケーションプログラム）に組み込み可能とされたものが知られている。この画像処理プログラムは、デジタルカメラの機種ごとに各メーカから提供された現像プログラムをプラグインとして組み込み、各種データ形式のＲＡＷ画像データに対応することができるようになっている。
【０００６】
また、このような現像プログラムをコンピュータ上に用意し、インターネットを介してデジタルカメラから該コンピュータ上にアップロードされたＲＡＷ画像データに対して、該コンピュータ上で現像処理を施すようにした画像処理システムが提案されている（特許文献１参照）。
【特許文献１】特開２００２−１５２５８０号公報
【発明の開示】
【発明が解決しようとする課題】
【０００７】
しかしながら、上記の従来技術では、ユーザは、独自形式のデータ（ＲＡＷ画像データ）を標準形式のデータに変換するための変換プログラム（現像プログラム）がコンピュータ上に存在するか否かを確認し、コンピュータ上に存在しない場合には、該変換プログラムを、それを提供するメーカから取得するといった作業を行う必要がある。また、この際、該変換プログラムを提供するメーカのアドレス（ＵＲＬなど）を調べる必要があり、該変換プログラムの取得に手間が強いられている。
【０００８】
本発明は、上記課題を鑑みてなされたものであり、電子機器の機種に依存する独自形式のデータに対応した変換プログラムを自動的に取得する変換処理システムを提供することを目的とする。
【課題を解決するための手段】
【０００９】
上記目的を達成するために、本発明の変換処理システムは、電子機器の機種に依存する独自形式のデータを標準形式のデータに変換する変換プログラムを格納したサーバと、このサーバと通信ネットワークを介して接続され、前記変換プログラムに基づいて前記独自形式のデータを標準形式のデータに変換する変換処理装置とを備え、前記独自形式のデータには、対応する変換プログラムの識別情報と、対応する変換プログラムを格納したサーバのアドレス情報とが付加されており、前記変換処理装置は、前記識別情報に対応する変換プログラムが該装置内に存在するか否かを判定し、存在しなければ、前記アドレス情報に基づいて特定したサーバから前記識別情報に対応する変換プログラムを取得することを特徴とする。
【００１０】
なお、前記変換処理装置は、前記識別情報に対応する変換プログラムが該装置内に存在する場合には、前記アドレス情報に基づいて特定したサーバからこの変換プログラムのバージョン情報を取得し、該装置内の変換プログラムが最新版でなければ、前記サーバから最新版の変換プログラムを取得することが好ましい。
【００１１】
また、前記変換処理装置は、前記識別情報に対応する変換プログラムが該装置内に存在する場合には、前記アドレス情報に基づいて特定したサーバからこの変換プログラムのバージョン情報を取得し、該装置内の変換プログラムが最新版でなければ、その旨をユーザに報知し、ユーザの指示に基づいて、前記サーバから最新版の変換プログラムを取得することも好ましい。
【００１２】
また、前記変換処理装置は、コンピュータと、これに所定の動作を実行させるアプリケーションプログラムとからなり、前記変換プログラムは、前記アプリケーションプログラムに組み込まれるプラグインであることが好ましい。
【００１３】
さらに、前記独自形式のデータは、固体撮像素子によって撮像されたアナログ信号をデジタル化した直後のＲＡＷ形式の画像データであることが好ましい。
【発明の効果】
【００１４】
本発明の変換処理システムによれば、独自形式のデータには、対応する変換プログラムの識別情報と、対応する変換プログラムを格納したサーバのアドレス情報とが付加されており、変換処理装置は、識別情報に対応する変換プログラムが装置内に存在するか否かを判定し、存在しなければ、アドレス情報に基づいて特定したサーバから識別情報に対応する変換プログラムを取得するので、独自形式のデータに対応する変換プログラムを自動的に取得することができ、ユーザは変換プログラムの取得に手間が強いられない。
【００１５】
また、本発明の変換処理システムによれば、変換処理装置は、識別情報に対応する変換プログラムが装置内に存在する場合には、アドレス情報に基づいて特定したサーバからこの変換プログラムのバージョン情報を取得し、装置内の変換プログラムが最新版でなければ、サーバから最新版の変換プログラムを取得するので、常に最新版の変換プログラムを変換処理に適用することができる。
【００１６】
また、本発明の変換処理システムによれば、変換処理装置は、識別情報に対応する変換プログラムが装置内に存在する場合には、アドレス情報に基づいて特定したサーバからこの変換プログラムのバージョン情報を取得し、装置内の変換プログラムが最新版でなければ、その旨をユーザに報知し、ユーザの指示に基づいて、サーバから最新版の変換プログラムを取得するので、ユーザの意図に逆らうことなく、最新版の変換プログラムを変換処理に適用することができる。
【発明を実施するための最良の形態】
【００１７】
図１において、画像処理システム２は、プラグイン提供用サーバ３とＰＣ４とからなる。プラグイン提供用サーバ３とＰＣ４とは、インターネットなどの通信ネットワーク６を介して相互にデータ通信が可能に接続されている。また、デジタルカメラ５がＰＣ４に、ＵＳＢ（Universal Serial Bus）などの通信ケーブルによって接続される。ＰＣ４は、デジタルカメラ５が撮像したＲＡＷ画像データを取り込み、このＲＡＷ画像データに対応したプラグイン（現像プログラム）をプラグイン提供用サーバ３から取得する。
【００１８】
プラグイン提供用サーバ３には、ＣＰＵ（Central Processing Unit）１０、ストレージ１１、通信インタフェース１２、プラグイン管理プログラム１３などが設けられている。ＣＰＵ１０は、プラグイン提供用サーバ３の各部を制御する。ストレージ１１には、デジタルカメラ５の機種ごとに対応した複数のプラグインが格納されている。通信インタフェース１２は、プラグイン提供用サーバ３を通信ネットワーク６に接続する。プラグイン管理プログラム１３は、所定の処理をＣＰＵ１０に実行させるソフトウェアであり、通信ネットワーク６を介するＰＣ４からのアクセスに応答して、ＰＣ４から要求されたプラグインをＰＣ４に送信する。
【００１９】
プラグイン提供用サーバ３は、例えば、デジタルカメラ５のメーカによって管理されており、ストレージ１１内のプラグインは管理者によって最新版に随時アップデートされている。プラグイン提供用サーバ３には、通信ネットワーク６上のアドレスが設定されており、ＰＣ４はこのアドレスに基づいてプラグイン提供用サーバ３とデータの送受信を行う。なお、プラグイン提供用サーバ３は、デジタルカメラ５のメーカごとに複数設けられ、それらは通信ネットワーク６に接続されている。
【００２０】
ＰＣ４には、ＣＰＵ２０、操作部２１、モニタ２２、ストレージ２３、画像処理プログラム２４、通信インタフェース２５、コネクタ２６などが設けられている。操作部２１は、キーボードやマウスなどからなり、ＣＰＵ２０は、操作部２１からの入力信号に応じて、ＰＣ４の各部を制御する。ストレージ２３は、コネクタ２６を介して通信ケーブルで接続されたデジタルカメラ５からＰＣ４へ取り込まれたＲＡＷ画像データを格納する。
【００２１】
画像処理プログラム２４は、所定の処理をＣＰＵ２０に実行させるアプリケーションソフトウェアであり、ＲＡＷ画像データのファイルコンバート、合成、レタッチなどの画像処理機能を有する。ＲＡＷ画像データのファイルコンバートを行う際の現像処理は、後述するようにして画像処理プログラム２４に組み込まれたプラグインによって行われる。
【００２２】
このプラグインは、画像補正部とデータ圧縮部とからなる。画像補正部は、ガンマ補正、ホワイトバランス補正、ブライトネス補正、色補間などの各種補正処理をＲＡＷ画像データに対して施す。データ圧縮部は、画像補正部によって補正処理が施された画像データに対して圧縮処理を施し、デジタルカメラ５の機種に依存しない標準形式（例えばＪＰＥＧ形式）の画像データに変換する。
【００２３】
ガンマ補正では、固体撮像素子に入力される光量とそこから出力される電気信号との入出力特性に応じた補正を行う。ホワイトバランス補正では、光源の色温度に起因して赤や青に偏った白色を、Ｒ（赤），Ｇ（緑），Ｂ（青）の各色の発色具合を調整して、正しい白色が表示されるように補正する。ブライトネス補正では、画像全体の明るさを補正する。なお、画像補正部には、この他、シャープネス補正やコントラスト補正などの補正処理を含めるようにしてもよい。
【００２４】
通信インタフェース２５は、ＰＣ４を通信ネットワーク６に接続する。画像処理プログラム２４は、デジタルカメラ５から取り込んだＲＡＷ画像データから後述するアドレス情報を抽出し、このアドレス情報を基づいてプラグイン提供用サーバ３の所在を特定し、プラグイン管理プログラム１３に対して該ＲＡＷ画像データに対応したプラグインの送信を要求する。
【００２５】
また、ＬＣＤ２２は、画像処理プログラム２４に基づく画像データのブラウザや、各種文字情報などを表示する。
【００２６】
図２において、デジタルカメラ５には、ＣＰＵ３０、操作部３１、撮影レンズ３２、ＣＣＤイメージセンサ３３、アンプ３４、Ａ／Ｄコンバータ３５、デジタル信号処理回路（ＤＳＰ）３６、メモリカード３７、付帯情報追加部３８、データ圧縮回路３９、ＬＣＤ４０、コネクタ４１などからなる。ＣＰＵ３０は、シャッタボタンやモード切替スイッチを含む操作部３１からの入力信号に基づいて、デジタルカメラ５の各部を制御する。
【００２７】
ＣＣＤイメージセンサ３３は、撮影レンズ３２の背後に配置されている。ＣＣＤイメージセンサ３３は、周知のように、マトリクス状に配列された多数の受光素子を備え、被写体光を電気信号に光電変換し、これをアナログ撮像信号として出力する。
【００２８】
アナログ撮像信号は、アンプ３４によって増幅されてＡ／Ｄコンバータ３５に送られる。Ａ／Ｄコンバータ３５は、アナログ撮像信号をデジタル変換してＲＡＷ画像データを出力する。デジタルカメラ５は、例えば、ＪＰＥＧ記録モードとＲＡＷ記録モードとを備えており、Ａ／Ｄコンバータ３５から出力されたＲＡＷ画像データは、ＪＰＥＧ記録モードの場合にはＤＳＰ３６に入力され、ＲＡＷ記録モードの場合にはメモリカード３７に入力される。付帯情報追加部３８は、ＲＡＷ記録モードの場合に、後述する付帯情報をＲＡＷ画像データに付加する。なお、ＪＰＥＧ記録モードとＲＡＷ記録モードとは、操作部３１のモード切替スイッチによって切り替えられる。
【００２９】
ＤＳＰ３６は、入力されたＲＡＷ画像データに対して、ガンマ補正、ホワイトバランス補正、ブライトネス補正などの各種信号処理（現像処理）を行い、処理後の画像データをデータ圧縮回路３９に入力する。データ圧縮回路３９は、入力された画像データに対して例えばＪＰＥＧ方式の圧縮処理を施し、ＪＰＥＧ画像データをメモリカード３７に記録する。
【００３０】
ＬＣＤ４０は、メモリカード３７に記録された画像データ（ＲＡＷ画像データやＪＰＥＧ画像データ）や文字情報などの表示を行う。また、ＬＣＤ３６は、撮影しようとする被写体像を確認するための電子ビューファインダとしても機能する。
【００３１】
コネクタ４１は、メモリカード３７内のＲＡＷ画像データをＰＣ４に取り込むための通信ケーブル（図示せず）が接続される接続部である。なお、メモリカード３７を着脱自在とし、メモリカード３７を介してＲＡＷ画像データをＰＣ４に取り込むようにしてもよい。また、赤外線や無線等の通信方式によってＲＡＷ画像データをＰＣ４に取り込むようにしてもよい。
【００３２】
図３において、デジタルカメラ５からＰＣ４に取り込まれるＲＡＷ画像データは、画像データと付帯情報とからなる。付帯情報には、識別情報およびアドレス情報が含まれる。識別情報は、デジタルカメラ５の機種（メーカ、製品種別）に対応したプラグインを識別するための情報である。アドレス情報は、この識別情報に対応したプラグインが含まれるプラグイン提供用サーバ３のアドレス（インターネットの場合にはＵＲＬ）を示す情報である。また、画像データ領域には、Ａ／Ｄコンバータ３５から出力された直後のデジタル信号が記録されている。
【００３３】
以下、上記構成による画像処理システム２の作用について、図４のフローチャートを参照しながら説明する。デジタルカメラ５によってＲＡＷ画像データをＰＣ４に取り込んだ後、画像処理プログラム２４を起動して、ユーザによって所望のＲＡＷ画像データが選択されると、ＰＣ４は、画像処理プログラム２４に基づく処理を開始し、まず、このＲＡＷ画像データから前述の付帯情報を取得する。ＰＣ４は、付帯情報に含まれる識別情報に対応したプラグインがＰＣ４内に存在するか（画像処理プログラム２４に組み込まれているか）否かを判定し、識別情報に対応したプラグインが存在する場合には、そのプラグインを用いて前述の現像処理を実施する。この現像処理によってＲＡＷ画像データは、標準形式のＪＰＥＧ画像データに変換される。
【００３４】
一方、識別情報に対応したプラグインが存在しない場合には、ＰＣ４は、付帯情報に含まれるアドレス情報に基づいてプラグイン提供用サーバ３をアクセスし、このプラグイン提供用サーバ３に対して識別情報に対応したプラグインの送信（ダウンロード）を要求する。プラグイン提供用サーバ３内のプラグイン管理プログラム１３は、この要求に応答して、そのプラグインをＰＣ４へ送信する。
【００３５】
ＰＣ４は、プラグイン提供用サーバ３から送信されたプラグインを受信すると、このプラグインを画像処理プログラム２４にインストールし（組み込み）、このプラグインを用いて前述の現像処理を実施する。この現像処理によってＲＡＷ画像データは、標準形式のＪＰＥＧ画像データに変換される。
【００３６】
このように、ＰＣ４は、撮影時にＲＡＷ画像データに付加した識別情報とアドレス情報とに基づいて、プラグイン提供用サーバ３から適切なプラグインを自動的にダウンロードして画像処理プログラム２４に組み込むので、ユーザは、デジタルカメラ５の機種に対応したプラグインがＰＣ４に存在するか否かを気にすることなく、ＲＡＷ画像データの現像処理を行うことができる。すなわち、ユーザは、ＰＣ４において、デジタルカメラ５の機種を気にすることなく、ＲＡＷ画像データを扱うことができる。
【００３７】
上記実施形態では、識別情報に対応したプラグインが画像処理プログラム２４に存在する場合には、即座にそのプラグインを用いて現像処理を行うようにしているが、本発明はこれに限定されず、画像処理プログラム２４に識別情報に対応した存在する場合に、そのプラグインが最新版であるか否かを判定するようにしてもよいし、さらに、そのプラグインが最新版でない場合に、最新版のプラグインをダウンロードする前に、ダウンロードを行ってよいか否かをユーザに問い合わせるようにしてもよい。以下、この場合の画像処理システム２の作用について、図５のフローチャートを参照しながら説明する。
【００３８】
デジタルカメラ５によって得られたＲＡＷ画像データをＰＣ４に取り込んだ後、画像処理プログラム２４を起動して、ユーザによって所望のＲＡＷ画像データが選択されると、ＰＣ４は、画像処理プログラム２４に基づく処理を開始し、まず、このＲＡＷ画像データから前述の付帯情報を取得する。ＰＣ４は、付帯情報に含まれる識別情報に対応したプラグインがＰＣ４内に存在するか否かを判定し、識別情報に対応したプラグインが存在しない場合には、上記と同様な手順により、プラグイン提供用サーバ３から識別情報に対応したプラグインをダウンロードし、これを画像処理プログラム２４にインストールして現像処理を実施する。
【００３９】
一方、識別情報に対応したプラグインが存在する場合には、ＰＣ４は、付帯情報に含まれるアドレス情報に基づいてプラグイン提供用サーバ３をアクセスし、このプラグイン提供用サーバ３に対して識別情報に対応したプラグインのバージョン情報の送信を要求する。プラグイン提供用サーバ３内のプラグイン管理プログラム１３は、この要求に応答して、そのバージョン情報をＰＣ４へ送信する。
【００４０】
ＰＣ４は、プラグイン提供用サーバ３から送信されたバージョン情報を受信すると、画像処理プログラム２４に存在する上記プラグインが最新版であるか否かを判定し、それが最新版である場合には、そのプラグインを用いて現像処理を実施する。一方、最新版でない場合には、ＰＣ４は、図６に示すような問い合わせウィンドウ５０をＬＣＤ２２に表示し、最新版のプラグインのダウンロードを行ってよいか否かをユーザに問い合わせる。
【００４１】
問い合わせウィンドウ５０において、ユーザが「ＮＯ」を選択すると、最新版のプラグインをダウンロードせずに、画像処理プログラム２４に現存するプラグインを用いて現像処理を実施する。一方、ユーザが「ＹＥＳ」を選択すると、上記と同様な手順により、プラグイン提供用サーバ３から識別情報に対応した最新版のプラグインをダウンロードし、これを画像処理プログラム２４にインストールして現像処理を実施する。
【００４２】
画像処理システム２をこのように構成することで、現像処理において、ユーザの意図に逆らうことなく、容易に最新版のプラグインを適用することができる。
【００４３】
上記実施形態では、現像プログラムをプラグインとして画像処理プログラムに組み込むようにしているが、本発明はこれに限定されず、プラグイン提供用サーバからダウンロードした現像プログラムを画像処理プログラムに組み込まずに単独で使用するようにしてもよい。
【００４４】
また、上記実施形態では、デジタルカメラが備える固体撮像素子として、ＣＣＤイメージセンサを例に挙げて説明しているが、本発明はこれに限定されず、ＣＭＯＳイメージセンサなどの他の固体撮像素子を用いるようにしてもよい。
【００４５】
また、上記実施形態では、撮影によりＲＡＷ画像データを得る電子機器としてデジタルカメラを例に挙げて説明しているが、本発明はこれに限定されず、カメラ付き携帯電話機やデジタルビデオカメラなどの他の電子機器を用いるようにしてもよい。
【００４６】
上記実施形態では、ＲＡＷ画像データが現像処理されることにより生成される標準形式の画像データの形式として、ＪＰＥＧ形式を例に挙げて説明しているが、本発明はこれに限定されず、ＴＩＦＦ形式やＢｉｔｍａｐ形式などの他の形式としてもよい。
【００４７】
また、上記実施形態では、電子機器の機種に依存する独自形式のデータとしてＲＡＷ画像データを例に挙げて説明しているが、本発明はこれに限定されず、電子機器の機種に依存するデータであれば、いかなる形式のデータ（音声データ、文書データなど）に対しても本発明を適用することが可能である。
【図面の簡単な説明】
【００４８】
【図１】画像処理システムの構成を示すブロック図である。
【図２】デジタルカメラの構成を示すブロック図である。
【図３】ＲＡＷ画像データのフォーマットを説明する図である。
【図４】画像処理システムの作用を説明するフローチャートである。
【図５】画像処理システムの他の実施形態を説明するフローチャートである。
【図６】問い合わせウィンドウを示す図である。
【符号の説明】
【００４９】
２  画像処理システム
３  プラグイン提供用サーバ
５  デジタルカメラ
６  通信ネットワーク
１３  プラグイン管理プログラム
２４  画像処理プログラム
２５  通信インタフェース
３３  ＣＣＤイメージセンサ
３５  Ａ／Ｄコンバータ
３６  デジタル信号処理回路
３７  メモリカード
３８  付帯情報追加部
３９  データ圧縮回路
５０  問い合わせウィンドウ
【図１】
2006253957.tif 000003
【図２】
2006253957.tif 000004
【図３】
2006253957.tif 000005
【図４】
2006253957.tif 000006
【図５】
2006253957.tif 000007
【図６】
2006253957.tif 000008